(57)【要約】【課題】雨傘における人や物に触れる部分に付着した水滴を確実に除水し、また当該除水能力を維持し続ける傘除水機を提供することを目的とする。【解決手段】筒体１と、筒体１内側に設けられて傘に付着した水滴を吸水する吸水ユニット２と、筒体１の傘挿入口に設けられて傘のヒダを折り畳むカップリングユニット３とから構成され、吸水ユニット２は、凹曲面状の回転側面を有するとともにその表面に穴を有する吸水ローラ４と、吸水ローラ４を覆い吸水性を有する吸水体と、吸水ローラ４を半径方向に移動可能かつ回転可能に固定する固定ブラケット５と、吸水ローラ４を筒体１中心方向に付勢するシャフト６及びスプリング７と、水滴を吸引する吸引手段とを備え、カップリングユニット３は、回転可能に保持されて内側面に螺旋状の凸溝が設けられている輪状のカップリング１１と、これを回転させるモータ１３とを備えている。【選択図】　　　図１
2004024564.tif 000002
【特許請求の範囲】
【請求項１】
濡れた傘を挿入する筒体と、当該筒体挿入口に設けられる円形の傘折り畳み部と、当該筒体内側に設けられ傘に付着した水滴を吸い取る吸水手段とを有することを特徴とする傘除水機。
【請求項２】
前記傘折り畳み部は、前記筒体の一部であることを特徴とする請求項１記載の傘除水機。
【請求項３】
前記傘折り畳み部は、前記筒体円周方向に回転することを特徴とする請求項１記載の傘除水機。
【請求項４】
前記傘折り畳み部は、内側に凸溝または凹溝を有することを特徴とする請求項１〜３の何れか１に記載の傘除水機。
【請求項５】
前記凸溝または凹溝は、螺旋状であることを特徴とする請求項４に記載の傘除水機。
【請求項６】
前記回転部は、螺旋状であることを特徴とする請求項１〜３の何れか１に記載の傘除水機。
【請求項７】
濡れた傘を挿入する筒体と、表面に穴を有する回転体と、当該回転体を回転可能かつ筒体半径方向に移動可能に保持する保持部と、当該回転体を筒体半径中心方向に付勢する付勢手段と、当該回転体の穴から傘に付着した水滴を吸引する吸引手段とを有することを特徴とする傘除水機。
【請求項８】
前記回転体を覆い吸水性を有する吸水体を有することを特徴とする請求項７に記載の傘除水機。
【請求項９】
濡れた傘を挿入する筒体と、回転体と、当該回転体を回転可能かつ筒体半径方向に移動可能に保持する保持部と、当該回転体を筒体半径中心方向に付勢する付勢手段と、当該回転体を覆い吸水性及び弾性を有する特殊吸収体と、当該特殊吸収体を当該回転体に圧縮する圧縮手段を有することを特徴とする傘除水機。
【請求項１０】
前記圧縮手段は、前記特殊吸収体と協働回転する圧縮回転体であることを特徴とする請求項９に記載の傘除水機。
【請求項１１】
前記回転体を回転させる動力部を有することを特徴とする請求項７〜１０に記載の傘除水機。
【請求項１２】
前記回転体は、凹曲面状の回転側面を有することを特徴とする請求項７〜１０の何れか１に記載の傘除水機。
【請求項１３】
濡れた傘を挿入する筒体と、吸水性及び弾性を有する特殊吸収体と、当該特殊吸収体を筒体半径方向に移動可能に保持する保持部と、当該特殊吸収体を筒体半径中心方向に付勢する付勢手段とを有することを特徴とする傘除水機。
【請求項１４】
前記特殊吸収体から水滴を吸引する吸引手段を有することを特徴とする請求項１３に記載の傘除水機。
【請求項１５】
前記特殊吸収体を圧縮する圧縮手段を有することを特徴とする請求項１３又は１４に記載の傘除水機。
【請求項１６】
前記特殊吸収体は、凹曲面状の傘接触面を有することを特徴とする請求項１３〜１５の何れか１に記載の傘除水機。
【請求項１７】
前記特殊吸収体は、多孔質体であることを特徴とする請求項９〜１６の何れか１に記載の傘除水機
【請求項１８】
前記回転体又は前記特殊吸収体は、筒体円周方向に複数有することを特徴とする請求項７〜１７の何れか１に記載の傘除水機。
【請求項１９】
前記回転体又は前記特殊吸収体は、筒体円周方向に９０度毎に有することを特徴とする請求項１８に記載の傘除水機。
【請求項２０】
前記回転体又は前記特殊吸収体は、筒体軸方向に複数有することを特徴とする請求項７〜１９の何れか１に記載の傘除水機。
【請求項２１】
濡れた傘を挿入する筒体と、吸水性及び弾性を有し当該筒体内側に設けられる特殊吸収体とを有することを特徴とする傘除水機。
【請求項２２】
前記特殊吸収体は、前記筒体中心部に、略傘を折り畳んだ形状の空洞部を有することを特徴とする請求項２１に記載の傘除水機。
【請求項２３】
濡れた傘を挿入する筒体と、吸水性及び弾性を有する特殊吸収体と、当該特殊吸収体を筒体半径方向に移動可能に保持する保持部と、当該特殊吸収体を筒体半径中心方向に付勢する付勢手段とを有することを特徴とする傘除水機。
【請求項２４】
前記特殊吸収体は、多孔質体であることを特徴とする請求項２１〜２３に記載の傘除水機
【請求項２５】
前記特殊吸収体で吸い取った水滴を滴下させながら当該特殊吸収体を係止する係止部を有することを特徴とする請求項２１〜２４の何れか１に記載の傘除水機。
【請求項２６】
前記特殊吸収体を圧縮する圧縮手段を有することを特徴とする請求項２１〜２５の何れか１に記載の傘除水機。
【請求項２７】
前記圧縮手段は、前記特殊吸収体を筒体軸方向又は筒体半径方向に圧縮させることを特徴とする請求項２６に記載の傘除水機。
【請求項２８】
前記圧縮手段は、前記特殊吸収体の下部を筒体半径方向に圧縮させることを特徴とする請求項２６に記載の傘除水機。
【請求項２９】
前記圧縮手段は、所定圧力で前記特殊吸収体を圧縮する弾性体であることを特徴とする請求項２１〜２８の何れか１に記載の傘除水機。
【請求項３０】
前記特殊吸収体は外側に１又は複数の凸部を有し、前記圧縮手段は当該凸部を圧縮することを特徴とする請求項２１〜２９の何れか１に記載の傘除水機。
【請求項３１】
所定期間毎又は傘挿入前後所定時間毎等に、自動的に前記圧縮手段で前記特殊吸収体を圧縮させる制御部を有することを特徴とする請求項２１〜３０の何れか１に記載の傘除水機。
【請求項３２】
前記筒体外部から前記特殊吸収体を圧縮する外部圧縮手段を有することを特徴とする請求項２１〜３０の何れか１に記載の傘除水機。
【請求項３３】
前記特殊吸収体で吸い取った水滴を吸引する吸引手段を有することを特徴とする請求項２１〜３２の何れか１に記載の傘除水機。
【請求項３４】
前記圧縮手段は、特殊吸収体内部に気体又は液体の流入により膨張する膨張体と、当該膨張体に気体又は液体を流入させる流入手段とを有することを特徴とする請求項２１〜３３の何れか１に記載の傘除水機。
【請求項３５】
前記特殊吸収体内部に、又は前記特殊吸収体外部に空気を噴出する噴出手段を有することを特徴とする請求項２１〜３４の何れか１に記載の傘除水機。
【発明の詳細な説明】
【０００１】
【発明の属する技術分野】
本発明は濡れた傘を除水する傘除水機に関する。
【０００２】
【従来の技術】
従来の雨傘除水機は、傘を挿入する筒体と、筒体内側面に設けられた穴と、当該穴から水滴を吸引する吸引手段により構成されていた。
【０００３】
つまり、雨に濡れた傘を筒体に挿入すると、傘の表面に付着した水滴が筒体内部に設けられた穴から吸引手段によって吸引されることで、傘を除水していた。
【０００４】
【発明が解決しようとする課題】
しかし、従来の傘除水機において傘に付着した水滴を吸引することができるのは、傘のヒダが筒体内側面に設けられた穴に触れている部分だけであるため、筒体内側面に設けられた穴に触れない部分に付着した水滴は吸引手段によっては吸引されないため、十分な傘除水能力を発揮するものではなかった。
【０００５】
また、傘には複数のヒダがあり、傘を閉じるとこれらのヒダが重なり合うため、ヒダ間に付着した水滴を十分に吸引することができない。従って、部分的に水滴を吸引することができても、人や物に触れる部分の水滴が十分に吸引されていない可能性が極めて大きいため、実用上問題が残存するものであった。
【０００６】
そこで、本発明はかかる問題に鑑み、人や物に触れる部分に付着した水滴を確実に除水し、また当該除水能力を維持し続ける傘除水機を提供することを目的とする。
【０００７】
【課題を解決するための手段】
上記目的を達成するため、本発明にかかる傘除水機は、濡れた傘を挿入する筒体と、当該筒体挿入口に設けられる円形の傘折り畳み部と、当該筒体内側に設けられ傘に付着した水滴を吸い取る吸水手段とを有することする。この場合、前記傘折り畳み部は、前記筒体の一部であってもよく、また、前記傘折り畳み部は、前記筒体円周方向に回転するようにしても良い。
【０００８】
この場合、前記傘折り畳み部は、内側に凸溝または凹溝を有することが望ましく、更に、前記凸溝または凹溝は、螺旋状であることが望ましい。なお、前記傘折り畳み部は、螺旋状であってもよい。
【０００９】
また本発明にかかる傘除水機は、濡れた傘を挿入する筒体と、表面に穴を有する回転体と、当該回転体を回転可能かつ筒体半径方向に移動可能に保持する保持部と、当該回転体を筒体半径中心方向に付勢する付勢手段と、当該回転体の穴から傘に付着した水滴を吸引する吸引手段とを有することとする。
【００１０】
この場合、前記回転体を覆い吸水性を有する吸水体を有することが望ましい。
【００１１】
また本発明にかかる傘除水機は、濡れた傘を挿入する筒体と、回転体と、当該回転体を回転可能かつ筒体半径方向に移動可能に保持する保持部と、当該回転体を筒体半径中心方向に付勢する付勢手段と、当該回転体を覆い吸水性及び弾性を有する特殊吸収体と、当該特殊吸収体を当該回転体に圧縮する圧縮手段を有することとする。
【００１２】
この場合、前記圧縮手段は、前記特殊吸収体と協働回転する圧縮回転体であることが望ましく、また、前記回転体を回転させる動力部を有することが望ましく、更に、前記回転体は、凹曲面状の回転側面を有することが望ましい。
【００１３】
また本発明にかかる傘除水機は、濡れた傘を挿入する筒体と、吸水性及び弾性を有する特殊吸収体と、当該特殊吸収体を筒体半径方向に移動可能に保持する保持部と、当該特殊吸収体を筒体半径中心方向に付勢する付勢手段とを有することとする。
【００１４】
この場合、前記特殊吸収体から水滴を吸引する吸引手段を有することが望ましく、また、前記特殊吸収体を圧縮する圧縮手段を有することが望ましく、更に、前記特殊吸収体は、凹曲面状の傘接触面を有することが望ましい。
【００１５】
また、前記特殊吸収体は、多孔質体であることが望ましい。
【００１６】
そして、前記回転体又は前記特殊吸収体は、筒体円周方向に複数有すること、筒体円周方向に９０度毎に有すること、筒体軸方向に複数有することが望ましい。
【００１７】
また本発明にかかる傘除水機は、濡れた傘を挿入する筒体と、吸水性及び弾性を有し当該筒体内側に設けられる特殊吸収体とを有することとし、前記特殊吸収体は、前記筒体中心部に、略傘を折り畳んだ形状の空洞部を有することが望ましい。
【００１８】
また本発明にかかる傘除水機は、濡れた傘を挿入する筒体と、吸水性及び弾性を有する特殊吸収体と、当該特殊吸収体を筒体半径方向に移動可能に保持する保持部と、当該特殊吸収体を筒体半径中心方向に付勢する付勢手段とを有することとする。
【００１９】
この場合、前記特殊吸収体は、多孔質体であることが望ましい。
【００２０】
また、前記特殊吸収体で吸い取った水滴を滴下させながら当該特殊吸収体を係止する係止部を有することが望ましく、更に、前記特殊吸収体を圧縮する圧縮手段を有することが望ましい。
【００２１】
この場合、前記圧縮手段は、前記特殊吸収体を筒体軸方向又は筒体半径方向に圧縮させること、前記特殊吸収体の下部を筒体半径方向に圧縮させることが望ましく、更に、所定圧力で前記特殊吸収体を圧縮する弾性体であることが望ましい。
【００２２】
また、前記特殊吸収体は外側に１又は複数の凸部を有し、前記圧縮手段は当該凸部を圧縮することが望ましい。
【００２３】
更に、所定期間毎又は傘挿入前後所定時間毎等に、自動的に前記圧縮手段で前記特殊吸収体を圧縮させる制御部を有することが望ましい。
【００２４】
一方、前記筒体外部から前記特殊吸収体を圧縮する外部圧縮手段を有することが望ましく、また、前記特殊吸収体で吸い取った水滴を吸引する吸引手段を有することが望ましい。
【００２５】
更に、前記圧縮手段は、特殊吸収体内部に気体又は液体の流入により膨張する膨張体と、当該膨張体に気体又は液体を流入させる流入手段とを有することが望ましく、また、前記特殊吸収体内部に、又は前記特殊吸収体外部に空気を噴出する噴出手段を有することが望ましい。
【００２６】
【発明の実施の形態】
次に本発明にかかる実施の形態について図面を参照して説明する。
【００２７】
図１は本発明にかかる第１の傘除水機の上面図及び縦断面図を示し、図２は図１におけるＢ−Ｂ断面図を、図３は図１におけるＣ−Ｃ断面図をそれぞれ示している。なお、本発明を分かり易くするため、図１では傘除水機の下部を省略している。
【００２８】
図に示すように本発明の第１の傘除水機は、傘が挿入される円筒状のインナードラムと外観を構成するアウタードラムとにより構成される筒体１と、筒体１内側に設けられて傘に付着した水滴を吸水する吸水ユニット２と、筒体１の傘挿入口に設けられて傘のヒダを折り畳むカップリングユニット３とから構成される。
【００２９】
吸水ユニット２を詳細に説明すると、図２から図４に示すように、凹曲面状の回転側面を有するとともにその表面に穴を有する吸水ローラ４と、吸水ローラ４を覆い吸水性を有する吸水体（図示しない）と、吸水ローラ４を半径方向に移動可能かつ回転可能に固定する固定ブラケット５と、吸水ローラ４を筒体１中心方向に付勢するシャフト６及びスプリング７と、水滴を吸引する吸引手段（図示しない）と、吸水ローラ４の穴から吸引手段に水滴を吸引させる吸水チューブ８と、複数ある吸水チューブ８からの吸引された水滴をまとめて吸引手段に吸引させる吸水フランジ９及びフランジカバー１０とを備えている。
【００３０】
また、カップリングユニット３を詳細に説明すると、図５に示すように、回転可能に保持されて内側面に螺旋状の凸溝が設けられている輪状のカップリング１１と、カップリング１１外周面に設けられたギヤ１２と、ギヤ１２を回転させるモータ１３とを備えている。
【００３１】
なお、カップリングユニット３のモータ１３は、電源オンの状態で常時動作するように制御してもよく、傘が挿入されたことを関知して所定時間、又は挿入されている間だけ動作するように制御してもよい。以下の動作の説明では、挿入されている間だけ動作するように制御する方式を例として説明する。
【００３２】
次に、図６をも参照して、本発明にかかる第１の傘除水機の動作について説明する。
【００３３】
濡れた傘を筒体１に挿入すると、図示しないセンサにより傘の挿入が認識され、モータ１３が動作を開始する。このモータ１３の動作により、ギヤ１２を介してカップリング１３が回転し、この凸溝により傘のヒダがカップリング１３の回転方向に折り畳まれる。一般に、市販の傘は一方向に折り畳まれて販売されているため同方向に折り畳まれるよう癖づけられている。従って、同方向に回転するカップリング１３により容易に傘が折り畳まれるものである。
【００３４】
また、カップリング１３の内側面に凸溝を設けたのは、傘のヒダを折り畳みやすくするためであるが、一方で、傘には畳んだ状態でボタンやホックで保持する紐が付いており、この紐がカップリング１３に引っ掛からないように逃げ道を作るためである。従って、カップリング１１の内側面には溝がなくても、凹溝が設けられていてもよく、またカップリング１１自体が螺旋状となっていてもよい。つまり、傘のヒダを折り畳むために、また傘を閉じるひもが引っかからないために好適な形状としていればどの様な形状でもよく、これらの形状である範囲で本発明の目的を達成することができる。
【００３５】
一方、吸水ローラ４は、固定ブラケット５、シャフト６、スプリング７によって筒体１中心寄りに保持付勢されているため、筒体１中心部に傘が挿入されると、折り畳まれた傘の先端部が当該吸水ローラ４に当接する。
【００３６】
上述のように、折り畳まれながら筒体１内部に挿入された傘は吸水ユニット２の吸水ローラ４に当接するが、吸水ローラ４は固定ブラケット５、シャフト６、スプリング７によって回転可能かつ半径方向に移動可能に保持付勢されているため、挿入するに従い徐々に径が太くなる傘の外形に沿って、吸引ローラ４が回転しながら筒体１外側方向に移動し、吸引ローラ４を覆う吸水体が折り畳まれた傘の表面に付着した水滴を、先端部から順次吸水していく。
【００３７】
この吸引ローラ４の筒体外側方向への移動は、傘の挿抜抵抗を軽減するためのものであり、回転は、移動と同様に傘の挿抜抵抗を軽減するためのほか、吸水体との当接面積を増大させることで傘表面に付着した水滴をより一層吸水するためのものである。
【００３８】
そして、吸水体が吸水した水滴は、吸引ローラ４に設けられた穴から、吸水チューブ８、吸水フランジ９を通り、吸引手段によって吸引される。この吸引により、吸水体は常にある程度の吸水能力を維持することができるため、時間の経過とともに傘除水能力が低下するのを抑制できる。
【００３９】
なお、上記第１の傘除水機のカップリングユニット３では、筒体円周方向に回転可能な輪状のカップリング１１を備えていたが、電源の無い場所への設置や、低消費電力化を考え、カップリング１１は回転せずにカップリングユニット３又は筒体１挿入口に固定されていても良い。つまり、カップリング１１は、傘を除水（上記では、吸水ユニットによる吸水に相当する。）する前段階として、傘のヒダを折り畳む作用を備えるものである。
【００４０】
従って、この傘のヒダを折り畳む作用を備える形状、構造の傘折り畳み部に相当するものであればどの様なものでも良く、また、カップリング１１を別途備えなくても、筒体１の傘挿入口の形状を傘折り畳み部としての作用効果を奏する形状とすることでも良い。なお、この傘折り畳み部の内径は、傘にかかる負荷と折り畳み効率を勘案し、折り畳まれた傘の外径より多少大きめに設定するのが望ましい。
【００４１】
また、図においては、設計上、製造上の容易性から、吸水ローラ４を同一面上に９０度間隔で４つ、上下方向に３段の構成としているが、本発明はこの構成に限定されるものではなく、上記作用を行いうる範囲内であれば同様に本発明の目的を達成することができる。
【００４２】
また、吸水ユニット２を各段毎に取り付け角度を変更することで、より広範囲に傘に付着した水滴を吸水することができる。
【００４３】
次に、本発明にかかる第２の傘除水機について説明する。
【００４４】
図７は本発明にかかる第２の傘除水機の横断面図及び縦断面図を示している。
【００４５】
図に示すように本発明の第２の傘除水機は、傘が挿入される円筒状のインナードラムと外観を構成するアウタードラムとにより構成される筒体１４と、筒体１４内側に設けられ、筒体１４に挿入された傘を包む形状で、吸水性および弾性を有する特殊吸収体１５と、上記第１の傘除水機と同様のカップリングユニット３とから構成される。なお、特殊吸収体１５は多孔質体であり、特に微細な連続気孔を有する微細気孔構造であることが望ましい。この微細気孔構造の多孔質体は、微細気孔構造に基づく毛細管現象により吸水性能および保水性能が優れており、傘に付着した水滴を素早く吸い取ると共に、吸い取った水滴を多孔質体内部まで移動させて保水するものである（以下の「特殊吸収体」に同じ）。
【００４６】
また、図示しないが、特殊吸収体１５で吸い取った水滴を滴下させながら特殊吸収体１５を下側から係止するとともに、所定時間毎に上下に移動して特殊吸収体１５を圧縮させる係止部（例えば、吸水性のない材質で網状のものがある）を備えている。
【００４７】
なお、特殊吸収体１５は図８にも示すように、筒体１４中心部に略傘を折り畳んだ形状の空洞部を有し、この空洞部に傘が挿入されることにより折り畳まれた傘の表面に付着した水滴が吸収される。
【００４８】
次に、本発明にかかる第２の傘除水機の動作について説明する。
【００４９】
濡れた傘を筒体１４に挿入すると、上記第１の傘除水機のカップリングユニット３の動作と同様に、カップリング１３により傘のヒダがカップリング１３の回転方向に折り畳まれる。
【００５０】
そして、筒体１４内側に設けられた特殊吸収体１５は、上述のように筒体１４中心部に略傘を折り畳んだ形状の空洞部を有しているため、カップリング１３により折り畳まれた傘の表面が特殊吸収体１５の空洞部側面に当接し、この当接下部分から水滴が順次吸い取られていく。
【００５１】
特殊吸収体１５により折り畳まれた傘の表面に付着した水滴が吸い取られると、傘を筒体１４から抜去する。
【００５２】
このようにして特殊吸収体１５によって水滴が吸い取られる部分は、折り畳まれた後の傘の表面部分だけであるが、特殊吸収体１５で吸い取られない部分に付着した水滴は隣接するヒダによって閉じ込められる。つまり、人や物がふれる部分は特殊吸収体１５によって吸い取り、他の部分（ヒダとヒダの間）は隣接するヒダ間に閉じ込めることにより、傘に付着した水滴が人や物に触れることがなく、また水滴が傘から滴下してフロアーを濡らすこともなくなる。
【００５３】
その後所定時間が経過すると、係止部は上下に移動して特殊吸収体１５を圧縮する。
【００５４】
特殊吸収体１５はその外形や密度等に応じた保水限界・吸水能力を有しているため、圧縮されると保水限界が下がり、吸い取った水滴が特殊吸収体１５外部に排出される。その後、係止部を元の状態に戻して圧縮を解除すると特殊吸収体１５は元の形状に復元するため、外部に排出された水滴の量だけ吸水能力が復活する。
【００５５】
従って、所定期間毎に特殊吸収体１５を圧縮させることで、特殊吸収体１５は常にある程度の吸水能力を維持することができ、時間の経過とともに傘除水機の除水能力が低下するのを抑制できる。
【００５６】
以上の説明では、特殊吸収体１５を圧縮する手段として、係止部を上下に移動させて特殊吸収体１５を圧縮させているが、別に圧縮手段を備え、特殊吸収体１５の上側や側部から圧縮させるように構成してもよい。また、重力により水滴が特殊吸収体１５下部に移動してくるため、保水率の高い特殊吸収体１５下部のみを圧縮することで、より効果的な除水能力を発揮することができる。
【００５７】
また、特殊吸収体１５はその毛細管現象により吸い取った水滴を内部まで移動させる性質を有するため、特殊吸収体１５を外側に１又は複数の凸部を備える形状とし、圧縮手段はこの凸部を圧縮することによっても、同様に除水機能を発揮することができる。
【００５８】
更に、特殊吸収体１５の圧縮は所定期間毎に定期的に行っても、傘挿入前後所定時間毎に行っても、又は不定期に行ってもよい。
【００５９】
また、特殊吸収体１５の圧縮を筒体１４外部の操作部により人為的に又は機械的に行うように構成してもよい。例えば、特殊吸収体１５を圧縮する棒を筒体１４外部まで延長させ、当該棒を人が押すことにより特殊吸収体１５を圧縮する構成などが考えられる。
【００６０】
なお、上記圧縮手段として、特殊吸収体内部に気体又は液体の流入により膨張する膨張体と、当該膨張体に気体又は液体を流入させる流入手段とを備え、これにより膨張体を膨張させることとしてもよい。
【００６１】
更に、上記圧縮手段にかえて、又は圧縮手段とともに、上記第１の傘除水機と同様な、特殊吸収体から水滴を吸引する吸引手段を備えることで、圧縮手段による水滴の排水を補助し、又は圧縮手段によらず水滴の排水を行うことができる。
【００６２】
また、多孔質体は一般的に（全てに有するものではないが）、保水時には軟化し、排水して乾燥してくるに連れて降下する性質を有するため、上記圧縮手段として所定圧力で圧縮するバネ等の弾性体とすることで、特殊吸収体の保水量が増加するとバネ等の弾性体が特殊吸収体を圧縮して排水させ、この排水によって保水量が減少すると特殊吸収体が硬化してバネ等の弾性体を押し返すため、圧縮手段を作動させる動力源がない場合、つまり電源がない場所に本発明にかかる傘除水機を設置する場合であっても良好に特殊吸収体を排水することができる。
【００６３】
一方、吸引手段の代わりに噴出手段により特殊吸収体内部又は外部から空気を噴出させることでも、同様の効果を得ることができる。
【００６４】
次に、本発明にかかる第３の傘除水機について説明する。
【００６５】
本発明にかかる第３の傘除水機（図示しない）は、基本構成は第１の傘除水機（図１参照）と同様であり、傘が挿入される円筒状のインナードラムと外観を構成するアウタードラムとにより構成される筒体と、筒体内側に設けられて傘に付着した水滴を吸水する吸水ユニットと、筒体の傘挿入口に設けられて傘のヒダを折り畳むカップリングユニットとから構成される。
【００６６】
吸水ユニットを詳細に説明すると、図９（吸水ユニットの一部分のみを示す）に示すように、凹曲面状の回転側面を有する吸水ローラ１４と、上記と同様の性質を有する特殊吸収体と、吸水ローラを半径方向に移動可能かつ回転可能に固定する固定ブラケット１５と、吸水ローラを筒体中心方向に付勢するシャフト１６及びスプリング１７と、吸水ローラと協働回転して特殊吸収体を吸水ローラに圧縮する圧縮ローラ１８とを備えている。
【００６７】
次に、本発明にかかる第３の傘除水機の動作について説明する。
【００６８】
濡れた傘を筒体に挿入すると、上記第１の傘除水機におけるカップリングユニットの動作と同様に、カップリングにより傘のヒダがカップリングの回転方向に折り畳まれる。
【００６９】
また、折り畳まれながら筒体内部に挿入された傘は吸水ユニットの吸水ローラ１４に当接し、吸水ローラ１４は固定ブラケット１５、シャフト１６、スプリング１７によって回転可能かつ半径方向に移動可能に保持されているため、挿入するに従い徐々に径が太くなる折り畳まれた傘の外形に沿って、吸引ローラ１４が回転しながら筒体外側方向に移動し、吸引ローラ１４を覆う特殊吸収体が傘のヒダに付着した水滴を、先端部から順次吸水していく。
【００７０】
そして、吸引ローラ１４の回転により圧縮ローラ１８が吸引ローラ１４によって協働回転し、当該圧縮ローラ１８が特殊吸収体を圧縮する。つまり、特殊吸収体は傘の挿抜に伴い、（１）傘の表面に付着した水滴を吸水−（２）圧縮ローラ１８により吸水した水滴を排出、というサイクルを繰り返すことになるため、特殊吸収体は常にある程度の吸水能力を維持することができ、時間の経過とともに傘除水能力が低下するのを抑制できる。
【００７１】
なお、上記では、吸水ローラ１４に特殊吸収体を覆っていたが、旧首位ローラ１４自体を特殊吸収体としても、上記同様の作用効果を奏する。
【００７２】
次に、本発明にかかる第４の傘除水機について説明する。
【００７３】
本発明にかかる第４の傘除水機（図示しない）は、基本構成は第１の傘除水機（図１参照）と同様であり、傘が挿入される円筒状のインナードラムと外観を構成するアウタードラムとにより構成される筒体と、筒体内側に設けられて傘に付着した水滴を吸水する吸水ユニットと、筒体の傘挿入口に設けられて傘のヒダを折り畳むカップリングユニットとから構成される。
【００７４】
吸水ユニットを詳細に説明すると、図１０（吸水ユニットの一部分のみを示す）に示すように、筒体中心方向先端に凹曲面状の傘接触面を有する特殊吸収体１９と、吸水ローラを半径方向に移動可能かつ回転可能に固定する固定ブラケット２０と、吸水ローラを筒体中心方向に付勢するシャフト２１及びスプリング２２と、を備えている。
【００７５】
次に、本発明にかかる第４の傘除水機の動作について説明する。
【００７６】
濡れた傘を筒体に挿入すると、上記第１の傘除水機におけるカップリングユニットの動作と同様に、カップリングにより傘のヒダがカップリングの回転方向に折り畳まれる。
【００７７】
また、折り畳まれながら筒体内部に挿入された傘は吸水ユニットの特殊吸収体１９の凹曲面に当接し、特殊吸収体１９は固定ブラケット２０、シャフト２１、スプリング２２によって回転可能かつ半径方向に移動可能に保持されているため、挿入するに従い徐々に径が太くなる折り畳まれた傘の外形に沿って、特殊吸収体１９が筒体外側方向に移動しながら傘のヒダに付着した水滴を、先端部から順次吸水していく。
【００７８】
なお、圧縮手段（図示しない）を加え、この圧縮手段により、定期的に又は非定期に、自動で又は手動で、特殊吸収体１９を圧縮することで、特殊吸収体１９で吸水された水滴を適宜排水することができる。そして、上記圧縮手段として、特殊吸収体内部に気体又は液体の流入により膨張する膨張体と、当該膨張体に気体又は液体を流入させる流入手段とを備え、これにより膨張体を膨張させることとしてもよい。
【００７９】
また、吸引手段（図示しない）を加え、この吸引手段により、定期的に又は非定期に、自動で又は手動で、特殊吸収体１９から水滴を吸引することで、特殊吸収体１９で吸水された水滴を適宜排水することができる。一方、吸引手段の代わりに噴出手段を加え、この噴出手段により特殊吸収体内部又は外部から空気を噴出させることでも、同様の効果を得ることができる。
【００８０】
ここまで第１から第４の傘除水機の説明で、回転するカップリングを有するカップリングユニットを備えた傘除水機として説明してきたが、本発明は、かならずしも筒体挿入口に回転するカップリングユニットを設けなくても良く、傘を折り畳まず挿入するようにしても、人的に傘を回しながら挿入するような構成としても良い。
【００８１】
【発明の効果】
以上説明したように、本発明によれば、当該筒体挿入口に設けられる円形の傘折り畳み部とを設けたことで、雨に濡れた傘のヒダを閉じることにより、隣接するヒダで付着した水滴を閉じ込めることができ、更にこの状態で傘表面に付着した水滴を吸い取ることで人や物が触れる部分（傘表面）を確実に除水することができるため、傘から水滴が滴下することなく、また人や物に水滴を触れさせないようにすることができる。また、傘折り畳み部を固定とすると、無電源の場所への設置、低消費電力化の要請に応えることができ、回転可能とすると、傘の折り畳みを補助することができ、より使いやすい傘除水機を提供することができる。
【００８２】
なお、回転部を内側に凸溝または凹溝を設け、更には凸溝または凹溝、若しくは回転部自体を螺旋状とすることで、傘を効率よく閉じさせると共に傘紐の引っ掛かりを防止することができる。
【００８３】
また本発明によれば、筒体内側に吸引手段により吸引される表面に穴を有する回転体を、回転可能かつ筒体半径方向に移動可能に保持して筒体中心方向に付勢するように構成することで、挿入するに従い徐々に径が太くなる傘の外形に沿って、傘に付着した水滴を好適に吸水することができ、この回転体を回転させることで、傘と吸水体との当節面積を増大させることができ、傘に付着した水滴をより一層吸水することができる。また、吸水体で回転体を覆うことで、より効率よく傘に付着した水滴を吸水することができる。
【００８４】
また、吸水体の代わりに特殊吸収体で回転体を覆い、一方で特殊吸収体を回転体に圧縮させることで、傘の挿抜に伴って（１）傘に付着した水滴を吸水―（２）圧縮手段により吸水した水滴を排出、というサイクルを繰り返すことができるため、上述の効果に加え、特殊吸収体は常にある程度の吸水率を維持することができ、時間の経過と共に傘除水機の除水能力が低下するのを抑制することができる。
【００８５】
なお、前記回転体は、凹曲面状の回転側面を有することで、傘との接触面積を大きくとることができる。
【００８６】
更に、上記回転体の代わりに特殊吸収体を設けることでも、同様に傘に付着した水滴を効率よく吸水することができ、この特殊吸収体から水滴を吸引し、または圧縮することで、特殊吸収体の吸水能力の低下を抑えることができる。
【００８７】
なお、この特殊吸収体を多孔質体とすることで、多孔質体の微細気孔構造に基づく毛細管現象により吸水性能および保水性能が優れ、傘に付着した水滴を素早く吸い取ると共に、吸い取った水滴を多孔質体内部まで移動させて保水するため、傘除水機の除水能力を更に増大させることができる。
【００８８】
一方、前記回転体又は前記特殊吸収体を円周方向に複数、または軸方向に複数、更に円周方向に９０度毎に有することで、傘の形状や使用状況等に応じ、最適な除水能力を備える傘除水機を得ることができる。
【００８９】
また本発明によれば、筒体内部に、吸水性及び弾性を有する特殊吸収体を備えることで、傘表面に付着した水滴を全面で吸い取ることができ、上記した特殊吸収体の効果をも加え、好適に傘の除水を行うことができる。特に、特殊吸収体に略傘を折り畳んだ形状の空洞部を設けることで、より傘に密着して除水を行うことができる。
【００９０】
また、前記特殊吸収体の下部を、特殊吸収体で吸い取った水滴を滴下させながら係止する係止部を有することで特殊吸収体から吸い取った水滴を自然に排出させることができ、特殊吸収体の吸水能力を維持することができる。
【００９１】
一方、特殊吸収体を筒体中心軸方向または半径方向に圧縮させることで、この圧縮により特殊吸収体の保水限界が下がって吸い取った水滴が特殊吸収体外部に排出されるため、外部に排出された水滴の量だけ吸水能力が復活し、常にある程度の吸水能力を維持することができ、時間の経過とともに傘除水機の除水能力が低下するのを抑制できる。
【００９２】
この場合、水滴は重力により特殊吸収体下部に移動してくるため、保水率の高い特殊吸収体下部を圧縮することで、又は特殊吸収体に設けた凸部を圧縮することで、スペース的な制約を最小限度に抑えながら効果的な除水能力を発揮することができる。
【００９３】
また、この特殊吸収体を所定圧力で圧縮する弾性体により圧縮させることで、動力が無くても、圧縮手段を作動させる動力源がない場合、つまり電源がない場所に本発明にかかる傘除水機を設置する場合であっても良好に特殊吸収体を排水することができる。
【００９４】
また、自動的に特殊吸収体を圧縮させることで圧縮し忘れを防止することができ、反対に外部から手動で特殊吸収体を圧縮する外部圧縮手段を設けることで、上記弾性体と同様、電源がない場所に本発明にかかる傘除水機を設置する場合であっても良好に特殊吸収体を排水することができる。
【００９５】
一方、特殊吸収体で吸い取った水滴を吸引させ、特殊吸収体内部の膨張体を膨張させ、又は特殊吸収体外部から空気を噴出させることでも、圧縮手段による水滴の排水を補助し、又は圧縮手段によらず水滴の排水を行うことができる。
【図面の簡単な説明】
【図１】本発明にかかる第１の傘除水機の上面図及び縦断面図。
【図２】図１におけるＢ−Ｂ断面図。
【図３】図１におけるＣ−Ｃ断面図。
【図４】吸水ユニットを示した斜視図。
【図５】カップリングユニットを示した斜視図。
【図６】第１の傘除水機の動作を示した図。
【図７】本発明にかかる第２の傘除水機の横断面図及び縦断面図
【図８】特殊吸収体の一部を示した斜視図。
【図９】本発明にかかる第３の傘除水機の吸水ユニットを示した図。
【図１０】本発明にかかる第４の傘除水機の吸水ユニットを示した図。
【符号の説明】
１　筒体
２　吸水ユニット
３　カップリングユニット
４　吸水ローラ
５　固定ブラケット
６　シャフト
７　スプリング
８　吸水チューブ
９　吸水フランジ
１０　フランジカバー
１１　カップリング
１２　ギヤ
１３　モータ
【図１】
2004024564.tif 000003
【図２】
2004024564.tif 000004
【図３】
2004024564.tif 000005
【図４】
2004024564.tif 000006
【図５】
2004024564.tif 000007
【図６】
2004024564.tif 000008
【図７】
2004024564.tif 000009
【図８】
2004024564.tif 000010
【図９】
2004024564.tif 000011
【図１０】
2004024564.tif 000012